(57)【要約】【課題】容易に内容物を取り出すことができる包装袋を提供する。【解決手段】包装袋１は、袋体２と、線ファスナー５とを備える。袋体２は、第１シート２１及び第１シート２１に対向する第２シート２２を有し、少なくとも第１シート２１が切断されることで開口が形成される。線ファスナー５は、第１シート２１及び第２シート２２に設けられ、開口を開閉する。袋体２は、袋体２の切断をガイドする切断ガイド部２６を有する。切断ガイド部２６は、第２シート２２が、第１シート２１の厚み方向に見て、第１シート２１の開口の一部となる切断縁から、線ファスナー５とは反対側に向かって突出する突出部分を含むように、袋体２の切断をガイドする。【選択図】図１
2019018889.tif 000002
【特許請求の範囲】
【請求項１】
第１シート及びこの第１シートに対向する第２シートを有し、少なくとも前記第１シートが切断されることで開口が形成される袋体と、
前記第１シート及び前記第２シートに設けられ、前記開口を開閉するための線ファスナーとを備えた包装袋であって、
前記袋体は、
前記袋体の切断をガイドする切断ガイド部を有し、
前記切断ガイド部は、前記第２シートが、前記第１シートの厚み方向に見て、前記第１シートの前記開口の一部となる切断縁から、前記線ファスナーとは反対側に向かって突出する突出部分を含むように、前記袋体の切断をガイドすることを特徴とする包装袋。
【請求項２】
前記切断ガイド部は、
前記第１シートが、前記切断縁によって、前記第２シートに接合された第１部分と、前記第２シートから分離された第２部分とに分割されるように、前記袋体の切断をガイドし、
前記突出部分は、前記第２シートにおいて前記第２部分に対向する部分であることを特徴とする請求項１に記載の包装袋。
【請求項３】
第１シート及びこの第１シートに対向する第２シートを有し、前記第１シート及び前記第２シートが切断されることで開口が形成される袋体と、
前記第１シート及び前記第２シートに設けられ、前記開口を開閉するための線ファスナーとを備えた包装袋であって、
前記袋体は、
前記袋体の切断をガイドする切断ガイド部を有し、
前記切断ガイド部は、前記第１シートの切断縁である第１切断縁と前記第２シートの切断縁である第２切断縁とが重なって、前記第１切断縁と前記第２切断縁とで前記開口が構成され、かつ、前記線ファスナーから前記第２切断縁までの前記第２シートの表面における沿面距離が、前記線ファスナーから前記第１切断縁までの前記第１シートの表面における沿面距離よりも大きくなるように、前記袋体の切断をガイドすることを特徴とする包装袋。
【発明の詳細な説明】
【技術分野】
【０００１】
本発明は、包装袋に関する。
【背景技術】
【０００２】
特許文献１には包装袋が開示されている。この包装袋は、内面がヒートシール性を有する表裏の積層フィルムを製袋して作成される。この包装袋は、開口予定部に対応する位置に開封用ノッチが形成されており、開封用ノッチを利用して積層フィルムを引き裂くことで開口が形成される。この包装袋における開口予定部よりも内側には、チャックテープが取り付けられている。このため、包装袋は、チャックテープの噛み合いを外して開口を開くことで、開封状態としたり、チャックテープにおいて噛み合いを生じさせて開口を閉じることで、再封状態としたりすることができる。
【先行技術文献】
【特許文献】
【０００３】
【特許文献１】特開２０１３−２１２８５３号公報
【発明の概要】
【発明が解決しようとする課題】
【０００４】
ところで、上記の包装袋は、チャックテープによって開口が閉じられたとき、当該開口部分において表裏の積層フィルムが重なり合い、表裏の積層フィルムの切断縁同士が揃う。このため、利用者は、開口に手指を入れることが難しく、内容物を取り出し難い。
【０００５】
本発明は前記事情に鑑みてなされたものであって、内容物を容易に取り出すことができる包装袋を提供することを目的とする。
【課題を解決するための手段】
【０００６】
前記目的を達成するために本発明に係る一態様の包装袋は、以下に示す特徴を有する。包装袋は、袋体と、線ファスナーとを備える。前記袋体は、第１シート及びこの第１シートに対向する第２シートを有し、少なくとも前記第１シートが切断されることで開口が形成される。前記線ファスナーは、前記第１シート及び前記第２シートに設けられ、前記開口を開閉する。前記袋体は、前記袋体の切断をガイドする切断ガイド部を有する。前記切断ガイド部は、前記第２シートが、前記第１シートの厚み方向に見て、前記第１シートの前記開口の一部となる切断縁から、前記線ファスナーとは反対側に向かって突出する突出部分を含むように、前記袋体の切断をガイドする。
【０００７】
また、本発明に係る別の態様の包装袋は、以下に示す特徴を有する。包装袋は、袋体と、線ファスナーとを備える。袋体は、第１シート及びこの第１シートに対向する第２シートを有し、前記第１シート及び前記第２シートが切断されることで開口が形成される。線ファスナーは、前記第１シート及び前記第２シートに設けられ、前記開口を開閉する。前記袋体は、前記袋体の切断をガイドする切断ガイド部を有する。前記切断ガイド部は、前記第１シートの切断縁である第１切断縁と前記第２シートの切断縁である第２切断縁とが重なって、前記第１切断縁と前記第２切断縁とで前記開口が構成され、かつ、前記線ファスナーから前記第２切断縁までの前記第２シートの表面における沿面距離が、前記線ファスナーから前記第１切断縁までの前記第１シートの表面における沿面距離よりも大きくなるように、前記袋体の切断をガイドする。
【発明の効果】
【０００８】
本発明に係る一態様の包装袋は、容易に内容物を取り出すことができる。
【図面の簡単な説明】
【０００９】
【図１】図１Ａ及び図１Ｂは本発明に係る第１実施形態の包装袋を示し、図１Ａは正面図であり、図１Ｂは一部を断面で表した側面図である。図１Ｃは図１ＢのＡ部拡大図である。
【図２】図２は、同上の包装袋であって、開封状態を示した斜視図である。
【図３】図３Ａは、第２実施形態の包装袋の上部の正面図である。図３Ｂは、第２実施形態の開口形成後の包装袋の上部を示した正面図である。
【図４】図４Ａは、第３実施形態の包装袋の上部の正面図である。図４Ｂは、第３実施形態の開口形成後の包装袋の上部を示した正面図である。
【図５】図５Ａは、第４実施形態の包装袋の上部の正面図である。図５Ｂは、図５ＡのＢ−Ｂ線断面図である。図５Ｃ及び図５Ｄは、第４実施形態の開口形成後の包装袋であって、図５Ｃは、屈曲部を屈曲した状態を示した断面図であり、図５Ｄは屈曲部を延ばした状態を示した断面図である。
【発明を実施するための形態】
【００１０】
以下に示す実施形態は、包装袋に関し、詳しくは、線ファスナーを有する包装袋に関する。
【００１１】
（第１実施形態）
まず、第１実施形態の包装袋１について説明する。図１Ａ及び図１Ｂに示す本実施形態の包装袋１は、例えば、食品、薬品、玩具又は文房具等の内容物を包装するための袋である。包装袋１は、線ファスナー付き包装袋であり、内容物（図示せず）を収容した袋体２と、袋体２に設けられた線ファスナー５とを有している。
【００１２】
袋体２に収容された内容物は、袋体２の一部を切断することで、図２に示すように形成された開口２０を通じて取り出される。本実施形態では、袋体２の一端部で構成された底部とは反対側の端部が、開口２０が形成される開口形成部となっている。
【００１３】
以下、包装袋１について、次のように方向を定義して説明する。袋体２の底部から開口形成部に向かう方向を上方とし、袋体２の開口形成部から底部に向かう方向を下方とする。すなわち、開口２０は、利用者が袋体２の上端部を切断することにより、袋体２の上端部に形成される。
【００１４】
（袋体）
図１Ａ及び図１Ｂに示すように、袋体２は、第１シート２１と、第１シート２１に対向する第２シート２２とを有している。以下、第１シート２１から第２シート２２に向かう方向を後方と定義し、第２シート２２から第１シート２１に向かう方向を前方と定義する。また、上下方向と前後方向との両者に直交する方向を左右方向と定義する。
【００１５】
本実施形態の袋体２は、矩形シート状に形成された、襠の無い袋であり、第１シート２１と第２シート２２とで構成されている。
【００１６】
本実施形態の第１シート２１と第２シート２２とは別のシート材で構成されている。なお、第１シート２１及び第２シート２２は、折り重ねた一枚のシート材で構成されてもよい。また、袋体２は、襠付きの袋であってもよい。この場合、襠は、例えば袋体２の底部と左右両端部、袋体２の底部のみ、あるいは袋体２の左右両端部のみ設けられる。
【００１７】
第１シート２１及び第２シート２２の各々は、矩形状のシートである。第１シート２１と第２シート２２とは大きさ及び形状が同じである。なお、「シート」には、厚さ０．２５ｍｍ未満の「フィルム」も含まれる。
【００１８】
袋体２の前面は、第１シート２１の表面（第２シート２２とは反対側を向く外面）で構成されている。袋体２の後面は、第２シート２２の表面（第１シート２１とは反対側を向く外面）で構成されている。
【００１９】
第１シート２１及び第２シート２２の各々は、例えば、熱接着層を有する、単層又は複層の樹脂製シートである。第１シート２１及び第２シート２２は、互いの周縁部同士が、接合されている。この接合は、例えば、第１シート２１の周縁部と第２シート２２の周縁部とを熱融着することにより行われる。
【００２０】
袋体２には、第１シート２１の周縁部とこれに接合された第２シート２２の周縁部とで構成されたシール部２３が形成されている。シール部２３は、矩形シート状の袋体２の全周に亘っている。袋体２の内側に形成された内部空間２４は、第１シート２１と第２シート２２との間に形成された空間である。内部空間２４の周囲は、シール部２３によって封止されている。
【００２１】
（線ファスナー）
第１シート２１及び第２シート２２には、袋体２に形成された開口２０を開閉するための線ファスナー（チャック）５が設けられている。線ファスナー５はレールファスナーであって、袋体２の上端部において袋体２の上縁に沿って直線状に延びている。線ファスナー５は、袋体２の内部空間２４の左右方向の全長に亘っている。
【００２２】
図１Ｃに示すように、線ファスナー５は、第１シート２１に設けられた第１ファスナーテープ５１と、第２シート２２に設けられた第２ファスナーテープ５２とを備えている。
【００２３】
第１ファスナーテープ５１は、第１シート２１の上端部の内面に接合されている。第１ファスナーテープ５１は、例えば合成樹脂製であり、溶着により第１シート２１に接合される。
【００２４】
第２ファスナーテープ５２は、第２シート２２の上端部の内面に接合されている。第２ファスナーテープ５２は、例えば合成樹脂製であり、溶着により第２シート２２に接合される。
【００２５】
第１ファスナーテープ５１は、第１シート２１の上縁に沿って直線状に延びており、第１シート２１における左右方向の両端部の間の部分の全長に亘って形成されている。第２ファスナーテープ５２は、第２シート２２の上縁に沿って直線状に延びており、第２シート２２における左右方向の両端部の間の部分の全長に亘って形成されている。
【００２６】
第１ファスナーテープ５１には嵌合部５３が形成されており、第２ファスナーテープ５２には嵌合部５３に着脱可能に嵌合される被嵌合部５４が形成されている。嵌合部５３は第１ファスナーテープ５１の長手方向（左右方向）の全長に亘っており、被嵌合部５４は第２ファスナーテープ５２の長手方向（左右方向）の全長に亘っている。
【００２７】
本実施形態の嵌合部５３及び被嵌合部５４は、一方が凹部であって他方が凸部であり、被嵌合部５４は嵌合部５３に着脱可能に凹凸嵌合されている。袋体２の内部空間２４は、線ファスナー５で仕切られている。図１Ａ及び図１Ｂに示すように、袋体２の内部には、シール部２３と線ファスナー５とで周囲が封止された収容空間２５が形成されており、この収容空間２５に内容物が収容されている。
【００２８】
（切断ガイド部）
袋体２は、袋体２の切断をガイドする切断ガイド部２６を備えている。利用者は、切断ガイド部２６のガイドのもと、袋体２を切断することができる。これにより、利用者は、内容物を取り出すための開口２０を袋体２に容易に形成することができる。
【００２９】
開口２０は、第１シート２１及び第２シート２２のうち、少なくとも第１シート２１が切断されることで形成される。なお、本実施形態では、第１シート２１のみが切断されることで、開口２０が形成されるが、第１シート２１と第２シート２２との両者が切断されて、開口２０が形成されてもよい。
【００３０】
本実施形態の切断ガイド部２６は、図１Ａ〜図１Ｃに示すように、第１シート２１に設けられたカットテープ２７を備えている。
【００３１】
カットテープ２７は、第１シート２１の上縁に沿って直線状に延びた帯状又は線状に形成されており、第１シート２１における左右方向の両端部の間の部分の全長に亘っている。カットテープ２７は、袋体２の上縁部に位置するシール部２３よりも下方でかつ線ファスナー５よりも上方に位置している。
【００３２】
カットテープ２７は、周知のカットテープと同様のカットテープである。カットテープ２７は、例えば第１シート２１の内面（後面）に接合されることで、第１シート２１に設けられる。第１シート２１においてカットテープ２７が設けられた部分が、第１シート２１において切断が予定される切断予定部となっている。
【００３３】
カットテープ２７の長さ方向の端部は、摘み２８を構成している。摘み２８は、第２シート２２に接合されていない。また、第１シート２１において摘み２８が接合された部分の上下縁には切り込みが形成されている。これにより、利用者は、第１シート２１において摘み２８が接合された部分と共に、摘み２８を容易に摘まめるようになっている。
【００３４】
利用者は、例えばカットテープ２７の摘み２８を摘まんで引っ張ることにより、第１シート２１におけるカットテープ２７に対応する部分を切断することができる。このように第１シート２１が切断されると、第１シート２１には、図２に示すように、線ファスナー５に沿って直線状に延びて第１シート２１の左右方向の全長に亘るスリット２９が形成され、第１シート２１は、スリット２９よりも下方の第１部分２１１と、スリット２９よりも上方の第２部分２１２とに分割される。これにより、袋体２には、第１部分２１１の上縁で構成された切断縁３０ａと、第２シート２２において切断縁３０ａに対向する部分３０ｂとで構成された開口２０が形成される。
【００３５】
利用者は、上記のように袋体２に形成された開口２０から手指を入れて線ファスナー５を開くことにより、収容空間２５を上方に開放することができる。これにより、利用者は、収容空間２５に収容された内容物を、開口２０を通じて取り出すことができる。また、利用者は、線ファスナー５を閉じることで、収容空間２５を再度封止することもできる。
【００３６】
上記のように袋体２の一部が切断されて開口２０が形成されたとき、第２シート２２には、前後方向（第１シート２１の厚み方向）に見て、開口２０の一部を構成する第１シート２１の切断縁３０ａから上方（線ファスナー５とは反対側）に突出した突出部分３１が形成される。なお、この突出部分３１の前面には、第１シート２１の第２部分２１２が接合されている。
【００３７】
線ファスナー５が閉じた状態にあるとき、袋体２において開口２０が形成された部分は、第１シート２１と第２シート２２とが重なり合った状態となる。この場合、突出部分３１に接合された第２部分２１２の前面に手指を当て、続いてこの手指を第２部分２１２の前面に沿って下方にスライドすることで、閉じた開口２０に手指を容易に入れることができる。
【００３８】
袋体２は、開口２０形成後の袋体２の前面において切断縁３０ａよりも上方に位置する部分（第２部分２１２の前面）の表面粗さが、第１部分２１１の前面の表面粗さと異なっていてもよい。この場合、利用者は、例えば手探りで袋体２に形成された開口２０を開くときに、第２部分２１２の前面に手指を当てたときの感触で、袋体２の開口２０のおおよその位置を認識することができる。従って、袋体２の内容物は一層取り出しやすくなる。また、これと同様の理由により、第２部分２１２の材質を、第１部分２１１の材質と異ならせてもよい。
【００３９】
（第２実施形態）
次に第２実施形態の包装袋１について説明する。なお、以下の第２実施形態の包装袋１の説明では、第１実施形態の包装袋１と共通する構成については同一の符号を付して、重複する説明を省略する。
【００４０】
図３Ａに示す本実施形態の包装袋１の切断ガイド部２６は、第１シート２１の上端部が、左右方向の全長に亘って取り除かれるように、袋体２の切断をガイドする。
【００４１】
本実施形態の切断ガイド部２６は、一対の切り込み３２，３２と、ミシン目３３とを備えている。
【００４２】
一対の切り込み３２,３２は、第１シート２１の左右の側縁部にそれぞれ形成されており、袋体２の上縁部に位置するシール部２３よりも下方でかつ線ファスナー５よりも上方に位置している。
【００４３】
ミシン目３３は、第１シート２１における線ファスナー５よりも上方に位置する部分に形成されている。ミシン目３３は、左右方向に延びた直線状に形成されている。ミシン目３３の一端は、一方の切り込み３２に繋がっており、他端は他方の切り込み３２に繋がっている。
【００４４】
第１シート２１における各切り込み３２の上方部分は、それぞれ摘み３４を構成している。摘み３４は、第２シート２２に対して接合されていない。このため、利用者は摘み３４だけを摘まむことができる。
【００４５】
利用者は、例えば一方の摘み３４を摘まんで引っ張ることにより、第１シート２１をミシン目３３に沿って切断しながら、第２シート２２に接合された第１シート２１の周縁部のうちのミシン目３３よりも上方の部分を、第２シート２２から剥がすことができる。すなわち、この場合、第１シート２１は、ミシン目３３よりも下方の第１部分２１１と、ミシン目３３よりも上方の第２部分２１２とに分割され、かつ第２部分２１２は第２シート２２から分離される。
【００４６】
これにより、袋体２の上端部には、図３Ｂに示すように、第２シート２２に接合された第１部分２１１の上縁で構成された切断縁３５ａと、第２シート２２における切断縁３５ａに対向する部分３５ｂとで構成された開口２０が形成される。また、この袋体２には、開口２０形成前において第２シート２２における第２部分２１２に対向する部分により構成され、切断縁３５ａよりも上方に突出した突出部分３１が形成される。
【００４７】
利用者は、突出部分３１の前面に手指を当て、続いてこの手指を突出部分３１の前面に沿って下方にスライドすることで、開口２０に手指を容易に入れることができる。
【００４８】
本実施形態では、第２シート２２の周縁部に接合された第１シート２１の周縁部のうち、第２部分２１２と重複する部分が、他部よりも小さい接着力で第２シート２２に接合されていてもよい。この場合、利用者は、第２部分２１２を第２シート２２から容易に剥がすことができる。
【００４９】
なお、本実施形態の袋体２も、開口２０形成後の袋体２の前面において切断縁３５ａよりも上方に位置する部分（突出部分３１）の前面の表面粗さと、第１部分２１１の前面の表面粗さとは異なっていてもよい。また、突出部分３１の材質と、第１部分２１１の材質とが異なっていてもよい。
【００５０】
（第３実施形態）
次に第３実施形態の包装袋１について説明する。なお、以下の第３実施形態の包装袋１の説明では、第１実施形態の包装袋１と共通する構成については同一の符号を付して、重複する説明を省略する。
【００５１】
図４Ａに示す本実施形態の包装袋１の切断ガイド部２６は、第１シート２１の上端部の左右方向の一部のみが取り除かれるように、袋体２の切断をガイドする。
【００５２】
本実施形態の切断ガイド部２６は、第１シート２１の上縁部に左右方向に離間して形成された一対の切り込み３６，３６と、第１シート２１の上端部に形成されたミシン目３７とを有している。ミシン目３７は、線ファスナー５よりも上方に位置している。ミシン目３７は円弧状に延びており、一端が一方の切り込み３６に繋がり、他端が他方の切り込み３６に繋がっている。
【００５３】
第１シート２１における一対の切り込み３６，３６の間の部分は、摘み３８を構成している。摘み３８は、第２シート２２に対して接合されていない。このため、利用者は摘み３８だけを摘まむことができる。
【００５４】
利用者は、例えば、摘み３８を摘まんで引っ張ることにより、第１シート２１をミシン目３７に沿って切断しながら、第２シート２２に接合された第１シート２１の周縁部のうちのミシン目３７の内側に位置する部分を、第２シート２２から剥がすことができる。すなわち、この場合、第１シート２１は、ミシン目３３で囲まれた部分を除く全ての部分で構成された第１部分２１１と、ミシン目３３で囲まれた第２部分２１２とに分割され、かつ第２部分２１２は第２シート２２から分離される。
【００５５】
これにより、袋体２の上端部には、図４Ｂに示すように、第２シート２２に接合された第１部分２１２の上縁で構成された切断縁３９ａと、これに対向する第２シート２２の部分３９ｂとで構成された開口２０が形成される。また、この袋体２には、開口２０形成前において第２シート２２における第２部分２１２に対向する部分により構成され、前後方向に見て、切断縁３９ａよりも上方に突出した突出部分３１が形成される。
【００５６】
利用者は、突出部分３１の前面に手指を当て、続いてこの手指を突出部分３１の前面に沿って下方にスライドすることで、開口２０に手指を容易に入れることができる。
【００５７】
本実施形態では、第２シート２２の周縁部に接合された第１シート２１の周縁部のうち、第２部分２１２と重複する部分が、他部よりも小さい接着力で第２シート２２に接合されてもよい。この場合、利用者は、第２部分２１２を第２シート２２から容易に剥がすことができる。
【００５８】
また、第１シート２１の第２部分２１２の形状は、半円状に限られず、例えば矩形状や三角形状であってもよい。また、第２部分２１２は、第１シート２１における左右方向の端まで延びていてもよい。
【００５９】
また、本実施形態の袋体２も、突出部分３１の前面の表面粗さと、第１部分２１１の前面の表面粗さとは異なっていてもよい。また、突出部分３１の材質と、第１部分２１１の材質とが異なっていてもよい。
【００６０】
（第４実施形態）
次に第４実施形態の包装袋１について説明する。なお、以下の第４実施形態の包装袋１の説明では、第１実施形態の包装袋１と共通する構成については同一の符号を付して、重複する説明を省略する。
【００６１】
図５Ａ及び図５Ｂに示す本実施形態の包装袋１は、第１シート２１と第２シート２２とが切断されることで、開口２０が形成される。また、切断ガイド部２６は、図５Ｃに示すように、第１シート２１の切断縁である第１切断縁４１と第２シート２２の切断縁である第２切断縁４２とが重なり、かつ線ファスナー５から第２切断縁４２までの第２シート２２の表面における沿面距離（第２シート２２の表面に沿った最短距離）が、線ファスナー５から第１切断縁４１までの第１シート２１の表面における沿面距離（第１シート２１の表面に沿った最短距離）よりも大きくなるように、袋体２の切断をガイドする。
【００６２】
図５Ａに示すように、本実施形態の切断ガイド部２６は、一対の切り込み４３，４３と、ミシン目４４とを備えている。一対の切り込み４３，４３は、袋体２の左右の側縁部にそれぞれ形成されており、袋体２の上縁部に位置するシール部２３よりも下方でかつ線ファスナー５よりも上方に位置している。各切り込み４３，４３は、袋体２を前後方向に貫通している。
【００６３】
ミシン目４４は、袋体２の上端部に形成されており、袋体２の上縁部に位置するシール部２３よりも下方でかつ線ファスナー５よりも上方に位置している。ミシン目４４は、左右方向に直線状に延びており、一端が一方の切り込み４３に繋がり、他端が他方の切り込み４３に繋がっている。ミシン目４４は、第１シート２１に形成された第１ミシン目と、第２シート２２に第１ミシン目と重なるように形成された第２ミシン目とで構成されてもよいし、第１ミシン目のみ、あるいは第２ミシン目のみから構成されてもよい。また、ミシン目４４は省略可能である。
【００６４】
図５Ｂに示すように、第１シート２１において線ファスナー５よりも上方の部分は、平面上である。対して、第２シート２２において線ファスナー５よりも上方に位置する部分には、左右方向と直交する断面においてＺ字状に屈曲された屈曲部４５を含んでいる。本実施形態の屈曲部４５は、第２シート２２の左右方向の全長に亘っている。
【００６５】
これにより、線ファスナー５から第２シート２２の上縁までの第２シート２１の表面における沿面距離は、線ファスナー５から第１シート２１の上縁までの第１シート２１の表面における沿面距離よりも長くなっている。
【００６６】
利用者は、例えば図５Ａに示す一方の切り込み４３の上方部分を摘まんで引っ張り、袋体２をミシン目４４に沿って切断することで、袋体２の上端部を左右方向の全長に亘って切断することができる。このように切断した袋体２は、図５Ｃに示すように、第１シート２１の切断縁である第１切断縁４１と第２シート２２の切断縁である第２切断縁４２とが重なるように切断される。これにより、袋体２の上端部には、第１切断縁４１と第２切断縁４２とで構成された開口２０が形成される。
【００６７】
利用者は開口２０形成後の袋体２の第２シート２２の上端部を摘まんで上方に移動させることで、第２シート２２の上端部を第１シート２１から剥がしながら、図５Ｄに示すように、屈曲部４５を上方に延ばすことができる。
【００６８】
このように屈曲部４５が延ばされると、第２切断縁４２は第１切断縁４１よりも上方に位置する（線ファスナー５よりも離れて位置する）。これにより、袋体２には、第２シート２２における第２切断縁４２よりも下側の部分で構成され、前後方向に見て、第１切断縁４１から上方に突出した突出部分３１が形成される。
【００６９】
利用者は、突出部分３１の前面に手指を当て、続いてこの手指を突出部分３１の前面に沿って下方にスライドすることで、開口２０に手指を容易に入れることができる。
【００７０】
本実施形態では、第２シート２２の周縁部に接合された第１シート２１の周縁部のうち、屈曲部４５と重複する部分が、他部よりも小さい接着力で第２シート２２に接合されてもよい。この場合、利用者は、開口２０形成後の袋体２において、第２シート２２の上端部を第１シート２１から容易に剥がすことができ、屈曲部４５を容易に展開することができる。
【００７１】
（効果）
以上説明した第１〜第４実施形態の包装袋１は、以下に示す特徴を有している。包装袋１は、袋体２と、線ファスナー５とを備える。袋体２は、第１シート２１及び第１シート２１に対向する第２シート２２を有し、少なくとも第１シート２１が切断されることで開口２０が形成される。線ファスナー５は、第１シート２１及び第２シート２２に設けられ、開口２０を開閉する。袋体２は、袋体２の切断をガイドする切断ガイド部２６を有する。切断ガイド部２６は、第２シート２２が、第１シート２１の厚み方向に見て、第１シート２１の開口２０の一部となる切断縁３０ａ，３５ａ，３９ａから、線ファスナー５とは反対側に向かって突出する突出部分３１を含むように、袋体２の切断をガイドする。以下、この特徴を有する包装袋１を第１の態様の包装袋１という。
【００７２】
第１の態様の包装袋１にあっては、利用者は切断ガイド部２６のガイドのもと、袋体２を切断することで、袋体２に、開口２０と、開口２０から線ファスナー５とは反対側に向かって突出する突出部分３１とを形成することができる。また、利用者は、突出部分３１を利用して閉じた開口２０に手指を容易に入れることができる。従って、利用者は、開口２０を容易に開くことができる。
【００７３】
また、第２実施形態及び第３実施形態の包装袋１は、第１の態様の包装袋１が有する特徴に加えて、以下に示す付加的な特徴を有する。切断ガイド部２６は、第１シート２１が、切断縁３５ａ，３９ａによって、前記第２シートに接合された第１部分２１１と、第２シート２２から分離された第２部分２１２とに分割されるように、袋体２の切断をガイドする。突出部分３１は、第２シート２２において第２部分２１２に対向する部分である。以下、この特徴を有する包装袋１を第２の態様の包装袋１という。
【００７４】
第２の態様の包装袋１にあっては、利用者は切断ガイド部２６のガイドのもと袋体２を切断することで、第１シート２１の第２部分２１２を第２シート２２から分離して、袋体２に、開口２０と、突出部分３１とを容易に形成することができる。
【００７５】
また、第４実施形態の包装袋１は、以下に示す特徴を有する。包装袋１は、袋体２と、線ファスナー５とを備える。袋体２は、第１シート２１及び第１シート２１に対向する第２シート２２を有し、第１シート２１及び第２シート２２が切断されることで開口２０が形成される。線ファスナー５は、第１シート２１及び第２シート２２に設けられ、開口２０を開閉する。袋体２は、袋体２の切断をガイドする切断ガイド部２６を有する。切断ガイド部２６は、第１シート２１の切断縁である第１切断縁４１と第２シート２２の切断縁である第２切断縁４２とが重なって、第１切断縁４１と第２切断縁４２とで開口２０が構成され、かつ、線ファスナー５から第２切断縁４２までの第２シート２２の表面における沿面距離が、線ファスナー５から第１切断縁４２までの第１シート２１の表面における沿面距離よりも大きくなるように、袋体２の切断をガイドする。以下、この特徴を有する包装袋１を第３の態様の包装袋１という。
【００７６】
第３の態様の包装袋１にあっては、利用者は切断ガイド部２６のガイドのもと第１シート２１及び第２シート２２を切断することで、開口２０を形成することができる。また、利用者は、この後、第２シート２２を延ばすことで、第２シート２２の一部を、第１切断縁４１から線ファスナー５とは反対側に突出した突出部分３１とすることができる。また、利用者は、突出部分３１を利用して閉じた開口２０に手指を容易に入れることができる。従って、利用者は、開口２０を容易に開くことができる。
【符号の説明】
【００７７】
１  包装袋
２  袋体
２０  開口
２１  第１シート
２１１  第１部分
２１２  第２部分
２２  第２シート
２６  切断ガイド部
３０ａ  切断縁
３１  突出部分
３５ａ  切断縁
３９ａ  切断縁
４１  第１切断縁
４２  第２切断縁
５  線ファスナー
【図１】
2019018889.tif 000003
【図２】
2019018889.tif 000004
【図３】
2019018889.tif 000005
【図４】
2019018889.tif 000006
【図５】
2019018889.tif 000007